【事件の表示】
　特許第３３２８８８２号「包括的医療情報管理方法」の請求項１〜３に係る特許に対する特許異議の申立てについて、次のとおり決定する。
【結　論】
　訂正を認める。
　特許第３３２８８８２号の請求項１〜３に係る特許を維持する。
【理　由】
１．手続の経緯
　本件特許第３３２８８８２号の請求項１〜３に係る発明は、平成１１年６月３日に特許出願され、平成１４年７月１９日にその特許の設定登録がなされ、その後、大木茂により特許異議の申立てがなされ、取消理由通知がなされ、その指定期間内である平成１５年９月２日に訂正請求がなされたものである。
　
２．訂正の適否についての判断
２−１．訂正の内容
（ａ）訂正事項ａ
　特許請求の範囲の請求項１の記載
「医療情報を管理するコンピュータ・ネットワーク内における医療各部門サブシステムのコンピュータ端末において患者に関する放射線科の所見入力、病理組織検査報告等のカルテに対するレポートが生成されると、前記コンピュータ端末はこのレポートを患者の識別コードと医療のカテゴリを表す区分コードを備えたファイル名を付したプリントイメージのファイルとして、このプリントイメージのファイルを管理する前記コンピュータ・ネットワーク内に設けたプリントイメージファイル管理サーバーに送出するとともに、該プリントイメージファイル管理サーバーは前記ファイル名の患者の識別コードを解読して前記コンピュータ・ネットワーク内に設けた多数の患者カルテフォルダを管理する患者カルテファイルサーバーから前記患者コードに該当する患者カルテフォルダを特定して、この患者カルテフォルダ内の前記区分コードに応じて作成されているフォルダに前記レポートを送出し、前記医療各部門サブシステムのレポートをタイムラグなく前記患者カルテフォルダに連携させることを特徴とする包括的医療情報管理方法。」
を
「医療情報を管理するコンピュータ・ネットワーク内における医療各部門サブシステムのコンピュータ端末において患者に関する放射線科の所見入力、病理組織検査報告等のカルテに対するレポートが生成されると、前記医療各部門サブシステムのコンピュータ端末は前記レポートを部門データベースとして記憶管理し、さらに前記レポートを患者の識別コードと医療のカテゴリを表す区分コードを備えたファイル名を付したプリントイメージのファイルとして、このプリントイメージのファイルを管理する前記コンピュータ・ネットワーク内に設けたプリントイメージファイル管理サーバーに送出するとともに、該プリントイメージファイル管理サーバーは前記ファイル名の患者の識別コードを解読して前記コンピュータ・ネットワーク内に設けた多数の患者カルテフォルダを管理する患者カルテファイルサーバーから前記患者の識別コードに該当する患者カルテフォルダを特定して、この患者カルテフォルダ内の前記区分コードに応じて作成されているフォルダに前記レポートを送出し、前記医療各部門サブシステムのレポートをタイムラグなく前記患者カルテフォルダに連携させることを特徴とする包括的医療情報管理方法。」
と訂正する。
（ｂ）訂正事項ｂ
段落０００５の記載
「【課題を解決するための手段】
　上記目的を達成するため、本発明の包括的医療情報管理方法は、医療情報を管理するコンピュータ・ネットワーク内における医療各部門サブシステムのコンピュータ端末において患者に関する放射線科の所見入力、病理組織検査報告等のカルテに対するレポートが生成されると、前記コンピュータ端末はこのレポートを患者の識別コードと医療のカテゴリを表す区分コードを備えたファイル名を付したプリントイメージのファイルとして、このプリントイメージのファイルを管理する前記コンピュータ・ネットワーク内に設けたプリントイメージファイル管理サーバーに送出するとともに、該プリントイメージファイル管理サーバーは前記ファイル名の患者の識別コードを解読して前記コンピュータ・ネットワーク内に設けた多数の患者カルテフォルダを管理する患者カルテファイルサーバーから前記患者コードに該当する患者カルテフォルダを特定して、この患者カルテフォルダ内の前記区分コードに応じて作成されているフォルダに前記レポートを送出し、前記医療各部門サブシステムのレポートをタイムラグなく前記患者カルテフォルダに連携させることを特徴とするものである。」
を
「【課題を解決するための手段】
　上記目的を達成するため、本発明の包括的医療情報管理方法は、医療情報を管理するコンピュータ・ネットワーク内における医療各部門サブシステムのコンピュータ端末において患者に関する放射線科の所見入力、病理組織検査報告等のカルテに対するレポートが生成されると、前記医療各部門サブシステムのコンピュータ端末は前記レポートを部門データベースとして記憶管理し、さらに前記レポートを患者の識別コードと医療のカテゴリを表す区分コードを備えたファイル名を付したプリントイメージのファイルとして、このプリントイメージのファイルを管理する前記コンピュータ・ネットワーク内に設けたプリントイメージファイル管理サーバーに送出するとともに、該プリントイメージファイル管理サーバーは前記ファイル名の患者の識別コードを解読して前記コンピュータ・ネットワーク内に設けた多数の患者カルテフォルダを管理する患者カルテファイルサーバーから前記患者の識別コードに該当する患者カルテフォルダを特定して、この患者カルテフォルダ内の前記区分コードに応じて作成されているフォルダに前記レポートを送出し、前記医療各部門サブシステムのレポートをタイムラグなく前記患者カルテフォルダに連携させることを特徴とするものである。」
と訂正する。
２−２．訂正の目的の適否、新規事項の有無及び拡張・変更の存否
（ａ）訂正事項ａについて
　上記訂正事項ａは、誤記「前記患者コード」を、前記されている「患者の識別コード」に整合するべく、「前記患者の識別コード」に訂正し、また、「前記コンピュータ端末はこの」を、「前記医療各部門サブシステムのレポートをタイムラグなく前記患者カルテフォルダに連携させる」の「連携させる」の技術的意義を明確にするべく、特許明細書の発明の詳細な説明の段落０００２の記載「レポートシステムは、医療施設内でネットワーク化されているメインのシステムに対する、部門システムでのデータベース構造として存在しているとともに、…カーボンコピーとしてカルテに添付される重要な報告書としても存在している。」、段落０００４の記載「各部門から生成されるレポートと電子化されたカルテとを連携させて包括的に取り扱い…することを目的とする。」、段落００１０の記載「６は放射線科の医療各部門サブシステム１で生成されたレポート・データベースにおける特定レコード、すなわち各々の患者に対するレポートそのものを…プリントイメージとして送信されるファイルである。」、段落００１７の記載「本発明によれば、従来のシステムにおけるカルテに添付されたレポートのカーボンコピーに相当するファイルを、レポートが作成された時点でプリントイメージとして電子カルテシステムに送出するものであり、カルテとレポートとの連携性が保たれるとともに…そしてこのレポートは電子カルテシステムとは別の部門データベースとして独立的にも管理されるものである。」に基いて、「前記医療各部門サブシステムのコンピュータ端末は前記レポートを部門データベースとして記憶管理し、さらに前記」と訂正するものである。
　したがって、この訂正は、誤記の訂正及び明りょうでない記載の釈明を目的とするものであり、願書に最初に添付した明細書に記載した事項の範囲内の訂正であり、実質上特許請求の範囲を拡張し又は変更するものではない。
（ｂ）訂正事項ｂについて
　上記訂正事項ｂは、【課題を解決するための手段】の欄の記載を、上記訂正事項ａの特許請求の範囲の請求項１の訂正に整合させる訂正を行うものである。
　したがって、この訂正は、明りょうでない記載の釈明を目的とするものであり、願書に最初に添付した明細書に記載した事項の範囲内の訂正であり、実質上特許請求の範囲を拡張し又は変更するものではない。
２−３．むすび
　以上のとおりであるから、上記訂正は、特許法第１２０条の４第２項及び同条第３項において準用する同法第１２６条第２、３項の規定に適合するので、当該訂正を認める。
　
３．当審が通知した取消の理由について
　当審が平成１５年７月１８日付で通知した取消の理由は、要するに、「特許請求の範囲の請求項１〜３の記載は、（医療部門サブシステムのコンピュータ端末において）生成されたレポートが部門データベースにおいて記憶管理されることを記載していないために、発明の詳細な説明に記載した実施例との対応が不明りょうであり、また、「前記医療各部門サブシステムのレポートをタイムラグなく前記患者カルテフォルダに連携させる」の「連携させる」の技術的意義が不明確なものとなっており、特許法第３６条第６項に規定する要件を満たしていない。」というものであり、上記訂正により、該取消の理由は解消された。
　
４．特許異議の申立てについての判断
４−１．特許異議の申立ての理由の概要
　特許異議申立人大木茂は、本件請求項１〜３に係る発明は、甲第１号証（特開平１１−７５２１号公報）、甲第２号証（特開平９−３０５６７１号公報）、甲第３号証（特開平１０−９７５８２号公報）に記載された発明に基いて当業者が容易になし得たものであるから、特許法第２９条第２項の規定により特許を受けることができない旨主張している。
４−２．当審の判断
　上記甲第１号証には、印刷時に印刷イメージを生成し、印刷イメージをネットワーク上に設けた文書管理サーバへ送出するクライアントと、受信した印刷イメージをその付属情報に基づいて記憶管理する文書管理サーバとから構成される電子文書のファイリングシステムが記載されている。
　上記甲第２号証には、患者毎に様々な種別の情報を階層的に記録、管理することが記載されている。
　上記甲第３号証には、医療情報を管理するシステムにおいて、管理対象となる画像に付帯情報として撮影年月日を付すことが記載されている。
　本件請求項１〜３に係る発明と上記甲各号証に記載された発明とを対比すると、上記甲各号証のいずれにも、本件請求項１〜３に係る発明を特定する事項である「前記医療各部門サブシステムのレポートをタイムラグなく前記患者カルテフォルダに連携させること」は記載されていない。
　したがって、本件請求項１〜３に係る発明は、上記甲各号証に記載された発明に基いて当業者が容易になし得たものではない。
　特許異議申立人は、上記甲第１号証に記載された電子ファイリングシステムは、各クライアントでの文書生成結果をタイムラグなくプリントイメージ管理サーバのストレージに連携させるものであり、本件請求項１〜３に係る発明を特定する事項である「前記医療各部門サブシステムのレポートをタイムラグなく前記患者カルテフォルダに連携させること」に相当する構成を有する旨主張している。
　しかしながら、本件請求項１〜３に係る発明を特定する事項である「前記医療各部門サブシステムのレポートをタイムラグなく前記患者カルテフォルダに連携させること」の「医療各部門サブシステムのレポート」が、「医療各部門サブシステム」において部門データベースとして記憶管理される「レポート」であるのに対して、上記甲第１号証に記載された電子ファイリングシステムは、クライアント自身において記憶管理される文書をプリントイメージ管理サーバのストレージに連携させるものではなく、特許異議申立人の上記旨の主張は失当である。
　
５．むすび
　以上のとおりであるから、特許異議申立ての理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１５年９月１７日（２００３．９．１７）
【訂正の要旨】
審決（決定）の【理由】欄参照。
（５４）【発明の名称】
包括的医療情報管理方法
（５７）【特許請求の範囲】
　【請求項１】　医療情報を管理するコンピュータ・ネットワーク内における医療各部門サブシステムのコンピュータ端末において患者に関する放射線科の所見入力、病理組織検査報告等のカルテに対するレポートが生成されると、
前記医療各部門サブシステムのコンピュータ端末は前記レポートを部門データベースとして記憶管理し、さらに前記
の識別
　【請求項２】　区分コードが示す医療のカテゴリは、検査・処方・注射等の医学的指示であるオーダー、看護記録、医師記載カルテ、放射線部門や病理部門や細菌検査部門からの報告書であるレポート、診断書や診療情報提供書等の書類、スキャナーから入力したスキャン書類、入院時カルテ、外来時カルテ、過去カルテ等であることを特徴とする請求項１記載の包括的医療情報管理方法。
　【請求項３】　医療各部門サブシステムのコンピュータ端末は患者カルテフォルダに送信するレポートを時間軸でソートすべく、前記レポートに付すファイル名に日付情報を加えることを特徴とする請求項１記載の包括的医療情報管理方法。
【発明の詳細な説明】
　【０００１】
　【発明の属する技術分野】
　本発明は、診療行為に関する医療情報を、コンピュータを用いて電子情報化し、ネットワーク化する電子カルテシステムと、部門システムである放射線科からの所見入力や病理組織検査報告であるレポートシステムとの連携を有効に図り得る包括的医療情報管理方法に関するものである。
　【０００２】
　【従来の技術】
　放射線科からの所見入力や病理組織検査報告等であるレポートシステムは、医療施設内でネットワーク化されているメインのシステムに対する、部門システムでのデータベース構造として存在しているとともに、臨床現場に代表される診療の現場にとってはカーボンコピーとしてカルテに添付される重要な報告書としても存在している。
　【０００３】
　【発明が解決しようとする課題】
　電子カルテシステムが有効に機能するためには、各部門から生成されるレポートと、根幹のカルテシステムとが有効に連携することが必要となっているが、現況におけるレポートシステムはＰＡＣＳ（医療画像情報システム）等の放射線内科等においてのみ議論されているだけで、包括的な医療情報を管理するシステムとして提唱されているものは皆無に等しい。
　【０００４】
　そこで本発明は、各部門から生成されるレポートと電子化されたカルテとを連携させて包括的に取り扱い、システム全体としての効率を上げることができる包括的医療情報管理方法を実現することを目的とする。
　【０００５】
　【課題を解決するための手段】
　上記目的を達成するため、本発明の包括的医療情報管理方法は、医療情報を管理するコンピュータ・ネットワーク内における医療各部門サブシステムのコンピュータ端末において患者に関する放射線科の所見入力、病理組織検査報告等のカルテに対するレポートが生成されると、
前記医療各部門サブシステムのコンピュータ端末は前記レポートを部門データベースとして記憶管理し、さらに前記
の識別
　【０００６】
　また、区分コードが示す医療のカテゴリは、検査・処方・注射等の医学的指示であるオーダー、看護記録、医師記載カルテ、放射線部門や病理部門や細菌検査部門からの報告書であるレポート、診断書や診療情報提供書等の書類、スキャナーから入力したスキャン書類、入院時カルテ、外来時カルテ、過去カルテ等であることを特徴とするものである。
　【０００７】
　また、医療各部門サブシステムのコンピュータ端末は患者カルテフォルダに送信するレポートを時間軸でソートすべく、前記レポートに付すファイル名に日付情報を加えることを特徴とするものである。
　【０００８】
　【発明の実施の形態】
　図１及び図２は、本発明の包括的医療情報管理方法を示しており、本実施例にあっては医療施設内にイントラネットを用いたコンピュータ・ネットワークシステムを構成している。図中１は、このコンピュータ・ネットワーク内における医療各部門サブシステム、すなわち部門データベースとしてレポートシステムを管理し、かつレポートシステムと同時に電子カルテシステムも稼働するクライアントＰＣであり、本実施例にあっては医療部門の一つとして放射線科を例に取り説明する。２は、同じくコンピュータ・ネットワーク内に設けたＷＷＷサーバーに設けられた放射線科の部門データベースであり、放射線科の所見入力のレポートを、ハイパーテキスト形式で表した分散データベース・システムであるＷＷＷを用いて放射線科を特定するアドレス文字列であるＵＲＬを付したデータベースとして公開している。
　【０００９】
　３は、医療行為側において同じくコンピュータ・ネットワーク内の電子カルテシステムとして医療情報を管理するクライアントＰＣであり、この医療行為側からレポートシステムを参照する場合には、ＷＷＷサーバーに医療各部門のＵＲＬと患者の識別コードを送出し、ＷＷＷブラウザを用いることで放射線科の部門データベース２中の所望する患者のレポートを参照することができる。
　【００１０】
　４は、同じくコンピュータ・ネットワーク内で、電子化された医療情報をデータベース化し、これらを患者単位で括った患者カルテフォルダ５を管理する患者カルテファイルサーバーである。６は、放射線科の医療各部門サブシステム１で生成されたレポート・データベースにおける特定レコード、すなわち各々の患者に対するレポートそのものを、ｐｒｉｎｔ　ｐｒｏｃｅｄｕｒｅを利用してプリントイメージとして送信されるファイルである。本実施例にあっては、プリントイメージのファイル６の一例として、図２に示すごとく、ＰＤＦ（Ｐｏｒｔａｂｌｅ　Ｄｏｃｕｍｅｎｔ　Ｆｏｒｍａｔ，Ａｄｏｂｅ　Ｓｙｓｔｅｍｓ社）を使用するが、勿論これ以外のプリントイメージのファイルを用いてもよいものである。そして、図２に示すごとく、このプリントイメージのファイル６のファイル名７には、患者の識別コードと、医療のカテゴリを表す区分コードと、日付情報（年月日時刻）を付すこととする。
　【００１１】
　このプリントイメージのファイル６に付されるファイル名７における患者の識別コードは、コンピュータ・ネットワーク内の各種データベース・システムにおいて患者を一意的に特定するものとして管理されている。区分コードが表す医療のカテゴリとしては、検査・処方・注射等の医学的指示であるオーダー、看護記録、医師記載カルテ、放射線部門や病理部門や細菌検査部門からの報告書であるレポート、診断書や診療情報提供書等の書類、スキャナーから入力したスキャン書類、入院時カルテ、外来時カルテ、過去カルテ等が存在する。また、日付情報（年月日時刻）は、ファイル６内のレポートを時間軸でソートするために付されている。
　【００１２】
　８は、前記プリントイメージのファイル６を送信するためのＰＤＦ送信プログラムであり、レポートを作成する医療各部門サブシステム１の各クライアントＰＣにインストールされている。９は、同じコンピュータ・ネットワーク内で、プリントイメージのファイル６を管理するプリントイメージファイル管理サーバーであり、この中の指定フォルダにプリントイメージのファイル６が送出されると、プリントイメージファイル管理サーバー９の振り分けプログラム１０は、プリントイメージのファイル６に付されているファイル名７の中からまず患者コードを解読して、患者カルテファイルサーバー４から患者コードに該当する患者カルテフォルダ５を特定するとともに、患者カルテフォルダ５内の区分コードに応じて作成されているフォルダ、例えばオーダーフォルダ１１内にプリントイメージのファイル６が送出され、順次レポートが蓄積されてゆく。そして、この患者カルテフォルダ５内のオーダーフォルダ１１内に蓄積されてゆくプリントイメージのファイル６にあって、ファイル名７については患者の識別番号と区分コードは同一で、日付情報のみ相違していることから、ファイル名７をソートすることで多くのファイル６を時間軸で揃えることができる。
　【００１３】
　そして、前述した医療行為側のクライアントＰＣ３が電子カルテシステムを稼働させることで、患者カルテファイルサーバー４にアクセスし患者コードを特定することにより、患者カルテフォルダ５内の各種フォルダ内の情報を参照することができる。これは、従来のシステムにおけるカルテに添付されたレポートのカーボンコピーに相当するものであり、カルテとレポートの連携性が保たれるとともに、診療業務側からレポートシステムに対しアクセスするという能動行動を起こす必要なく、レポートが送出されてくるフォルダを見ているだけで患者のレポートを見ることができるという点でタイムラグのない優れた速報性が確保されるものである。
　【００１４】
　図３は、前述したコンピュータ・ネットワーク内の部門データベースとしてレポートシステムを管理する医療各部門サブシステム１における表示装置の画面１２を説明するもので、レポートシステムに書き込む状態である。
　【００１５】
　この医療各部門サブシステム１にあっては、レポートシステムを稼働させると同時に、電子カルテシステムも稼働させ、さらに一時的に使用するテンポラリ・ファイル（例えばｐｔｉｄ．ｔｍｐという名称）を作成する。そして、このテンポラリ・ファイルは、患者の識別コードが入力されていない状態ではヌルファイルであるが、患者の識別コード（一例として）が入力されると、電子カルテシステムを管理する患者カルテファイルサーバー４からその患者属性を含む情報がインポートされるとともに、テンポラリ・ファイルには電子カルテ上で選択されている患者の識別コード、氏名、入退院の別等の患者属性情報が、例えばＣＳＶ等の形式でダウンロードされるものとする。図３の画面１２にあっては、データベース、ワードプロセッサ等の外部アプリケーションが稼働し、患者の識別コードを入力している状態にあって、上述した患者属性情報が同一画面上に表示されていることを示している。これにより、レポートシステムに書き込む際に、患者属性をキーボードから入力したり、電子カルテシステムにアクセスして情報を取り出す手間が大幅に軽減され、患者属性の間違い・重複もなくなるものである。そして、患者選択が変わる度に、テンポラリ・ファイルに対して患者属性情報はオーバーライトされるものとする。さらに、現在の画面表示を印刷する機能を使用してプリントイメージのファイルとして送出する際に、例えばデータベースを表す記号（例：ＤＢ）に患者の識別コード（例：１２３４５）を加えたＤＢ１２３４５というフレームネームを自動生成するものである。
　【００１６】
　尚、上述した実施例にあっては、プリントイメージのファイルとしてＰＤＦファイルを例に取り説明したが、勿論これのみに限定されることはなく、ｐｒｉｎｔ　ｐｒｏｃｅｄｕｒｅを利用してプリントイメージとして送信されるファイルでればよいものである。
　【００１７】
　【発明の効果】
　以上詳述したごとく、本発明によれば、従来のシステムにおけるカルテに添付されたレポートのカーボンコピーに相当するファイルを、レポートが作成された時点でプリントイメージとして電子カルテシステムに送出するものであり、カルテとレポートとの連携性が保たれるとともに、診療業務側からレポートシステムに対しアクセスするという能動行動を起こす必要なく、レポートが送出されてくるフォルダを見ているだけで患者のレポートを見ることができるという点でタイムラグのない優れた速報性が確保され、そしてこのレポートは電子カルテシステムとは別の部門データベースとして独立的にも管理されるものである。
　【００１８】
　また、医療各部門サブシステムのコンピュータ端末は患者カルテフォルダに送信するレポートを時間軸でソートすべく、前記レポートに付すファイル名に日付情報を加えることで、フォルダ内の多くのレポートについて、ファイル名のソートという極めて簡単な操作で時間軸を揃えて参照しやすくすることが可能となる。
【図面の簡単な説明】
　【図１】
　本発明の包括的医療情報管理方法の説明図である。
　【図２】
　本発明の包括的医療情報管理方法の説明図である。
　【図３】
　本発明の包括的医療情報管理方法におけるレポートシステムを管理するクライアントＰＣにおける表示装置の画面の説明図である。
　【符号の説明】
　１　医療各部門サブシステム
　２　部門データベース
　３　医療行為側のクライアントＰＣ
　４　患者カルテファイルサーバー
　５　患者カルテフォルダ
　６　プリントイメージのファイル
　７　ファイル名
　８　ＰＤＦ送信プログラム
　９　プリントイメージファイル管理サーバー
　１０　振り分けプログラム
　１１　オーダーフォルダ
　１２　画面